(57)【特許請求の範囲】
【請求項１】
調理器本体の前面適所に、扉と操作パネルとを装着したものにおいて、上記操作パネルを電動機構により上下方向に傾動可能に構成すると共に、上記電動機構を制御する制御手段を設け、この制御手段を、上記扉が開かれるとこれを検出して上記電動機構を作動し、上記操作パネルを傾斜させる様に構成し、上記制御手段を、上記操作パネルに配置した調理開始用のスタートキーがオン操作された後、予め設定した所定時間経過後に上記電動機構を作動して操作パネルを垂直状態に駆動する様に構成した事を特徴とする加熱調理器。
【請求項２】
上記操作パネルに、この操作パネルを傾斜又は垂直状態に作動する操作パネルキーを設けた事を特徴とする、上記請求項１に記載の加熱調理器。
【発明の詳細な説明】
【技術分野】
【０００１】
本発明は、オーブンレンジや電子レンジ等の様に、調理時間等の調理条件を入力する操作パネルを備えた加熱調理器に関する。
【背景技術】
【０００２】
被調理物を収納して加熱する調理室の前面に扉を備え、かつこの扉に隣接して操作パネルを配置し、この操作パネルに複数の操作キーを配置した加熱調理器では、例えば特許文献１に示される様に、操作パネルを手動により上下方向に傾斜する様に構成したものがある。
【特許文献１】実開平５−７９３０７号公報
【発明の開示】
【発明が解決しようとする課題】
【０００３】
一方、上記特許文献１に記載の構成では、調理器の設置条件に応じて一度操作パネルを傾斜させると、調理器の使用に係わらず操作パネルが傾斜し、本体の前面より操作パネルの上端部或いは下端部が前方に突出し、外観上違和感を与えるという問題がある。
【０００４】
又、使用の終了都度、操作パネルを垂直状態に戻しても良いが、その操作が煩わしいという問題がある。
【０００５】
そこで本発明は、調理器の使用状態に応じて自動的に操作パネルを傾斜させ、操作パネルの操作性を向上させると共に、使い勝手を向上する事を目的とする。
【課題を解決するための手段】
【０００６】
本発明の請求項１の構成は、調理器本体の前面適所に、扉と操作パネルとを装着したものにおいて、上記操作パネルを電動機構により上下方向に傾動可能に構成すると共に、上記電動機構を制御する制御手段を設け、この制御手段を、上記扉が開かれるとこれを検出して上記電動機構を作動し、上記操作パネルを傾斜させる様に構成し、上記制御手段を、上記操作パネルに配置した調理開始用のスタートキーがオン操作された後、予め設定した所定時間経過後に上記電動機構を作動して操作パネルを垂直状態に駆動する様に構成して成るものである。
【０００７】
本発明の請求項２の構成は、請求項１の構成において、上記操作パネルに、この操作パネルを傾斜又は垂直状態に作動する操作パネルキーを設けて成るものである。
【発明の効果】
【０００９】
本発明の請求項１に記載の構成により、操作パネルを電動機構により上下方向に傾斜させると共に、調理室の扉が開かれるとこれを検出して操作パネルを傾斜させる様に構成したことで、扉を開けば自動的に操作パネルを傾斜させ、操作パネルの操作面に配置した操作キーの操作性を向上する事が出来るものである。又、操作パネルに配置したスターキーが操作されて調理が開始されると、その所定時間後に自動的に操作パネルを垂直状態に戻すことで、調理中の操作パネルの突出による操作パネルへの人体等の接触を防止する事が出来るものである。
【００１０】
本発明の請求項２に記載の構成により、操作パネルに、この操作パネルを傾斜したり垂直に戻す操作パネルキーを設けたことで、何らかの理由により、扉を開くことなく操作パネルを傾斜させたい場合にも、操作パネルキーの操作により簡単に傾斜させる事が出来るものである。
【発明を実施するための最良の形態】
【００１２】
本発明による実施例を先ず図１に基づき説明すると、１は例えばシステムキッチン等に組み込んで使用する床置型の調理器本体で、前面に扉２を上下方向に開閉自在に枢支していると共に、この扉の横に隣接して操作パネル３を配置している。
【００１３】
上記操作パネル３は、その高さ寸法を扉２の高さ寸法よりも短く構成して、その下方に固定板４を配置し、この固定板と操作パネル３の高さを扉２の高さと同じに構成していると共に、操作パネル３は、図２にて示す様にその上端部を回転軸５により回転自在に枢支し、その底面を底板６により閉塞し、かつこの底板の底面にラックギヤ７を装着している。
【００１４】
又、上記ラックギヤ７の下方には、固定板４の後方に位置してラックギヤ７に噛合するピニオンギヤ８と、このピニオンギヤを回転駆動するギヤードモータ９を配置し、これらにて電動機構１０を構成している。
【００１５】
図３は上記操作パネル３の実施例を示すもので、上部に液晶パネルや蛍光表示管等で構成した表示器１１を配置していると共に、この表示器の下方に操作部１２を設けている。
【００１６】
そして上記表示器１１には、調理メニュー１３・・と、温度や出力を表示する設定表示部１４と、時間やタイマーを表示するタイマー部１５等を配置している。
【００１７】
又上記操作部１２には、キーロックを設定するロックキー１６と、音声の音量を設定する音声キー１７と、操作パネル３を傾斜或いは垂直に戻す操作パネルキー１８とを横並びに配置し、これらのキーの下方に自動調理メニューを選択設定する自動調理キー１９と、手動調理メニューを選択設定する手動調理キー２０と、調理の仕上がり状態を硬めや柔らかめに設定する仕上がりキー２１とを横並びに配置し、かつこれらのキーの下方に調理温度を設定する温度キー２２，２３を横並びに配置し、更にこれらのキーの下方に時間やタイマー時間を設定する３個の時間キー２４，２５，２６を横並びに配置し、これら時間キーの下方にスタートキー２７と取消しキー２８を配置している。
【００１８】
図４は制御手段を構成する制御回路３０の実施例を示すもので、商用の交流電源３１に扉２の開閉に応じて接点を開閉するドアスイッチ３２を介して電源回路３３を接続していると共に、この電源回路の出力にマイクロコンピュータ３４を接続している。
【００１９】
又、上記マイクロコンピュータ３４の出力ポートには、上記表示器１１を駆動する表示回路３５と、ブザー３６を作動するブザー回路３７と、上記操作パネル３を電動により斜めに傾斜するギヤードモータ９を駆動するモータ駆動回路３９と、上記調理器本体１の熱源となる図示しないガスバーナへの燃料供給を制御する電磁弁４０を駆動する電磁弁駆動回路４１と、上記ガスバーナの点火用の点火器４２を作動する点火器駆動回路４３と、扉２の内部に形成した図示しない調理室を照明する庫内灯４４を点滅する庫内灯駆動回路４５とを接続し、同じく入力ポートには、扉２の開閉を検出するドア開閉検出回路４６の出力と、上記操作部１２に配置した各操作キーの入力を検出するキー入力回路４７の出力と、上記図示しない調理室の温度を検出する庫内温度検出回路４８の出力と、ガスバーナの点火を検出する炎検出回路４９の出力とを接続していると共に、入出力ポートにはデータ記憶用のメモリ５０を接続している。
【００２０】
尚、５１は上記マイクロコンピュータ３４の出力ポートに接続した自己保持回路で、その出力にて上記ドアスイッチ３２に並列接続した自己保持用のリレー接点５２を駆動するもので、扉２が開かれてドアスイッチ３２が閉じ、電源回路３３よりマイクロコンピュータ３４に通電されると、自己保持回路５１の出力にてリレー接点５２を閉じ、調理の開始等により扉２が閉じてドアスイッチ３２が開いても、リレー接点５２を介して電源回路３３に通電し、調理を継続する様に構成している。
【００２１】
又、上記マイクロコンピュータ３４は、調理が終了して所定時間経過した場合や、扉２が閉じられてから所定時間経過しても操作部１２に配置した各操作キーの入力操作が無い場合には、上記リレー接点５２を開いて電源回路３３への通電を遮断し、所謂待機時には電力を消費しない様に構成している。
【００２２】
更に上記マイクロコンピュータ３４は、扉２が開いて通電されると、モータ駆動回路３９の出力にてギヤードモータ９を作動して操作パネル３を図２中に破線にて示す様に傾斜させ、操作部１２に配置した各キーの操作を行ない易く構成している。
【００２３】
又、上記マイクロコンピュータ３４は、スタートキー２７がオン操作されて調理が開始されると、このスタートキーのオン操作後、第１の所定時間（例えば２秒）経過するとギヤードモータ９を反転させ、操作パネル３を垂直状態に戻す様に構成している。
【００２４】
これにより、調理中には操作パネル３を垂直状態に戻し、操作パネル３への人体や運搬物の接触による、人体や操作パネル３の損傷を確実に防止する事が出来るものである。
【００２５】
一方、調理が終了して扉２が開かれると、ドア開閉検出回路４６の出力によりこれを検出してモータ駆動回路３９にてギヤードモータ９を作動し、操作パネル３を傾斜させることで、次の入力操作が行ない易くなる様に構成している。
【００２６】
そして上記扉２を開いて被調理物が取り出され、扉２が閉じられると、これをドア開閉検出回路４６の出力にて検出し、上記と同様に所定時間経過後に操作パネル３を垂直状態に戻す。
【００２７】
尚、何らかの理由により、上記扉２を開いた状態で操作パネル３を垂直状態に戻したい場合には、操作パネルキー１８の操作により、簡単に戻す事が出来る。
【００２８】
そして更に上記マイクロコンピュータ３４は、操作パネル３を傾斜させた状態で、第２の所定時間（例えば１分）経過しても操作部１２に配置した各キーからの操作が無い場合には、モータ駆動回路３９にてギヤードモータ９を作動して操作パネル３を垂直状態に戻す様に構成している。
【図面の簡単な説明】
【００２９】
【図１】本発明の実施例を示す正面図である。
【図２】同じく要部の側面図である。
【図３】同じく操作パネルの正面図である。
【図４】同じく制御回路のブロック図である。
【符号の説明】
【００３０】
１    調理器本体
２    扉
３    操作パネル
１０  電動機構
１８  操作パネルキー
２７  スタートキー
３０  制御回路（制御手段）
【図１】
0004721839.tif 000002
【図２】
0004721839.tif 000003
【図３】
0004721839.tif 000004
【図４】
0004721839.tif 000005